(57)【要約】【課題】  広範囲の泡を寄せ集めて効率よく消滅し得る消泡装置を提供する。【解決手段】  消泡装置２は、ケーシング６の内壁部分６Ａへの泡Ｂの衝突で泡消滅による液体を空気とともに排出する排出口２０を有する。排出口２０は、筒部１７の吸引口１８の半径方向外方から液体タンク１の液面Ｔ上に生じた泡Ｂに向けて傾斜して空気を送風するよう液体タンク１の液面Ｔ上に開口して配置した。このため、排出口２０から排出される空気により、液面Ｔ上に生じる泡Ｂを筒部１７の吸引口１８に寄せ集めることができるから、広範囲の泡Ｂを寄せ集めて効率よく消滅することができる。【選択図】    図１
2018012054.tif 000002
【特許請求の範囲】
【請求項１】
内部に羽根車を収容したケーシングと、ケーシングの羽根車に面した正面側で羽根車の中心部に向けて開口する入口と、液体タンクの液面上に生じる泡を吸引する吸引口を有し入口を介してケーシング内に通じる吸引通路を有する筒部と、羽根車の遠心作用による遠心力を受けて入口より羽根車の外周側へ移行された泡が破壊されるよう衝突する羽根車外周に有したケーシングの内壁部分と、ケーシングの内壁部分への泡の衝突で泡消滅による液体を空気とともに排出する排出口と、ケーシングの背後から羽根車を回転駆動する電動機とを備え、排出口は、筒部の吸引口の半径方向外方から液体タンクの液面上に生じた泡に向けて傾斜して空気を送風するよう液体タンクの液面上に開口して配置したことを特徴とする消泡装置。
【請求項２】
前記排出口は、前記ケーシングの内壁部分への泡の衝突で泡消滅による液体を空気とともに流す排出流路の先端に開口して円環状に形成されたことを特徴とする請求項１に記載の消泡装置。
【請求項３】
前記排出口は、前記筒部の吸引口と垂直方向の位置を略同等に配置したことを特徴とする請求項２に記載の消泡装置。
【発明の詳細な説明】
【技術分野】
【０００１】
本発明は、泡を吸引することにより泡を破壊し消滅させる消泡装置に関し、特に、液体タンクに貯蔵する液の液面上に生じる泡を良好に消すことができる消泡装置に関する。
【背景技術】
【０００２】
従来の消泡装置は、液体タンクの液面上に発生する泡は、羽根車の回転で吸引口より吸引して入口に導かれ、この泡は、羽根車の外周側に遠心力で移行され、羽根車外周側のケーシング内壁に衝突し、破壊、消滅が行われる。そして、泡の破壊、消滅によって生じる液体は、空気とともに排出口から排出されて液体タンク内へ戻される（たとえば、特許文献１参照）。
【先行技術文献】
【特許文献】
【０００３】
【特許文献１】特許第３６０４８７３号公報
【発明の概要】
【発明が解決しようとする課題】
【０００４】
ところが、特許文献１に開示された消泡装置では、広範囲の泡を効率よく消滅させることが難しかった。
【０００５】
本発明の課題は、広範囲の泡を寄せ集めて効率よく消滅し得る消泡装置を提供するものである。
【課題を解決するための手段】
【０００６】
かかる課題を達成すべく、本発明は次の手段をとった。即ち、
内部に羽根車を収容したケーシングと、ケーシングの羽根車に面した正面側で羽根車の中心部に向けて開口する入口と、液体タンクの液面上に生じる泡を吸引する吸引口を有し入口を介してケーシング内に通じる吸引通路を有する筒部と、羽根車の遠心作用による遠心力を受けて入口より羽根車の外周側へ移行された泡が破壊されるよう衝突する羽根車外周に有したケーシングの内壁部分と、ケーシングの内壁部分への泡の衝突で泡消滅による液体を空気とともに排出する排出口と、ケーシングの背後から羽根車を回転駆動する電動機とを備え、排出口は、筒部の吸引口の半径方向外方から液体タンクの液面上に生じた泡に向けて傾斜して空気を送風するよう液体タンクの液面上に開口して配置したことを特徴とする消泡装置がそれである。
【０００７】
この場合、前記排出口は、前記ケーシングの内壁部分への泡の衝突で泡消滅による液体を空気とともに流す排出流路の先端に開口して円環状に形成してもよい。また、前記排出口は、前記筒部の吸引口と垂直方向の位置を略同等に配置してもよい。
【発明の効果】
【０００８】
以上詳述したように、請求項１に記載の発明は、ケーシングの内壁部分への泡の衝突で泡消滅による液体を空気とともに排出する排出口は、筒部の吸引口の半径方向外方から液体タンクの液面上に生じた泡に向けて傾斜して空気を送風するよう液体タンクの液面上に開口して配置した。このため、排出口から送風される空気により、液面上に生じる泡を筒部の吸引口に寄せ集めることができるから、広範囲の泡を寄せ集めて効率よく消滅することができる。
【０００９】
また、請求項２に記載の発明は、排出口は、ケーシングの内壁部分への泡の衝突で泡消滅による液体を空気とともに流す排出流路の先端に開口して円環状に形成した。このため、筒部の吸引口の半径方向外方で全周から空気を送風するから、液面上に生じる泡を筒部の吸引口に寄せ集めることが一層でき、泡をより効率よく消滅することができる。
【００１０】
また、請求項３に記載の発明は、排出口は、筒部の吸引口と垂直方向の位置を略同等に配置した。このため、排出口を筒部の吸引口とあわせ液体タンクの液面の近傍に開口することができ、液面上に生じる泡へ向けての空気の送風と筒部の吸引口からの泡の吸引とをより一層良好にでき、泡をより一層効率よく消滅することができる。
【図面の簡単な説明】
【００１１】
【図１】本発明の一実施形態を示した消泡装置の縦断面図である。
【図２】図１の線Ａ−Ａに沿った断面図である。
【発明を実施するための形態】
【００１２】
以下、本発明の一実施形態を図面に基づき説明する。
図１において、１はクーラント液等の液体を回収、貯蔵する液体タンクで、図示しないクーラント液を流入する流入管と、クーラント液を流出する流出管を設置している。２は消泡装置で、液体タンク１の上板３上に載置板４を載置して設置している。消泡装置２は載置板４の下部に複数のボス５を介してケーシング６を溶接で取付けている。ケーシング６は、上部を閉塞して下部を開放した略円筒状で、内部には羽根車７を収装している。羽根車７は、円形のデイスク７Ａの正面側に６枚の羽根片７Ｂを半径方向へ延びるように取付けると共に、半径方向の中心部には、入力軸７Ｃを取付けている。羽根車７の外周すなわち各羽根片７Ｂの半径方向外方端がケーシング６の内壁部分６Ａと対向配置している。入力軸７Ｃは、ケーシング６、載置板４を貫通してその背後に突出し、電動機８の出力軸８Ａに同軸状に取付けている。電動機８は載置板４の上部に溶接で取付けた取付板９に複数のボルト部材１０で着脱自在に取付けている。
【００１３】
ケーシング６の下部には、複数のカラー部材１１で隙間を有して円板状の基板１２を複数のボルト部材１３で取付けている。基板１２には、図２に示す如く、中心部周りに４個の円弧状の開口１４Ａ、１４Ｂ、１４Ｃ、１４Ｄを貫通形成している。基板１２の上面には、略円筒状の入口円筒部１５を溶接で取付け、入口円筒部１５はその上端に、ケーシング６の羽根車７に面した正面側で、羽根車７の中心部に向けて開口する入口１６を形成している。基板１２の下面には略円筒状の筒部１７を溶接で取付け、筒部１７はその下端に、液体タンク１の液面Ｔ上に生じる泡Ｂを吸引する吸引口１８を有している。筒部１７は開口１４〜１４Ｄより入口１６を介してケーシング６内に通じる吸引通路１９を有している。
【００１４】
２０はケーシング６の内壁６Ａへの泡の衝突で泡消滅による液体を空気とともに排出する排出口で、液体タンク１の液面Ｔ上の近傍に開口し、かつ筒部１７の吸引口１８と垂直方向の位置を略同等にし、筒部１７の吸引口１８の半径方向外方から液体タンク１の液面Ｔ上に生じた泡Ｂに向けて傾斜して空気を送風するよう配置している。詳述するに、ケーシング６の半径方向外方端を外方へ水平方向に延在し、そこから下方へ垂直方向に屈曲形成し、さらに半径方向の内方へ傾斜して屈曲形成して排出外側部材２１を形成している。また、基板１２の半径方向外方端を外方へ水平方向に延在し、そこから下方へ垂直方向に屈曲形成し、さらに半径方向の内方へ傾斜して屈曲形成して排出内側部材２２を形成している。そして、排出外側部材２１と排出内側部材２２との間の間隙を排出流路２３としている。排出流路２３はケーシング６の内壁部分６Ａへの泡の衝突で泡消滅による液体を空気とともに流し、この先端に排出口２０を開口している。排出口２０は円環状に形成されている。
【００１５】
次に、かかる構成の作動を説明する。
電動機８により羽根車７を回転駆動すると、羽根車７の遠心作用により吸引口１８から開口１４Ａ〜１４Ｄ、入口１６を介して空気が吸引され、排出口２０から排出される。そして、液面Ｔ上に生じた泡Ｂは、吸引口１８近傍に達すると、吸引口１８から吸引される。この吸引された泡Ｂは、筒部１７より開口１４Ａ〜１４Ｄ、入口１６をへてケーシング６内へ導かれ、羽根車７に衝突する。この衝突で泡Ｂの一部は破壊され消滅し、これにより生じるクーラント液の液滴は、残りの泡Ｂとともに、羽根車７での遠心作用により、遠心力を受け羽根車７の外周側へと移行され、ケーシング６の内壁部分６Ａに衝突する。この衝突で、残りの泡Ｂは実質的にほぼ全部が破壊され消滅する。
【００１６】
泡Ｂの消滅で生じたクーラント液の液滴は、空気とともに排出流路２３を流れて排出口２０から排出されて液体タンク１内へ戻される。このようにして、液面Ｔ上の泡Ｂは、吸引され、破壊、消滅されるので、泡Ｂの蓄積が増すことを抑制できる。
【００１７】
かかる作動で、ケーシング６Ａの内壁部分６への泡Ｂの衝突で泡消滅による液体を空気とともに排出する排出口２０は、筒部１７の吸引口１８の半径方向外方から液体タンク１の液面Ｔ上に生じた泡Ｂに向けて傾斜して空気を送風するよう液体タンク１の液面Ｔ上に開口して配置した。このため、排出口２０から送風される空気により、液面Ｔ上に生じる泡Ｂを筒部１７の吸引口１８に寄せ集めることができるから、広範囲の泡Ｂを寄せ集めて効率よく消滅することができる。
【００１８】
また、排出口２０は、ケーシング６の内壁部分６Ａへの泡Ｂの衝突で泡消滅による液体を空気とともに流す排出流路２３の先端に開口して円環状に形成した。このため、筒部１７の吸引口１８の半径方向外方で全周から空気を送風するから、液面１上に生じる泡Ｂを筒部１７の吸引口１８に寄せ集めることが一層でき、泡Ｂをより効率よく消滅することができる。
【００１９】
また、排出口２０は、筒部１７の吸引口１８と垂直方向の位置を略同等に配置した。このため、排出口２０を筒部１７の吸引口１８とあわせ液体タンク１の液面Ｔの近傍に開口することができ、液面Ｔ上に生じる泡Ｂへ向けての空気の送風と筒部１７の吸引口１８からの泡Ｂの吸引とをより一層良好にでき、泡Ｂをより一層効率よく消滅することができる。
【００２０】
なお、一実施形態では、先端に排出口２０を有する排出流路２３を形成する排出外側部材２１と排出内側部材２２は、それぞれケーシング６と基板１２を延在して一体的に形成したが、排出外側部材２１と排出内側部材２２をそれぞれケーシング６と基板１２と別体に形成し、着脱自在に取付けてもよいことは勿論である。
【符号の説明】
【００２１】
１：液体タンク
６：ケーシング
６Ａ：内壁部分
７：羽根車
８：電動機
１６：入口
１７：筒部
１８：吸引口
２０：排出口
Ｔ：液面
Ｂ：泡
【図１】
2018012054.tif 000003
【図２】
2018012054.tif 000004
【手続補正書】
【提出日】平成29年1月31日(2017.1.31)
【手続補正１】
【補正対象書類名】特許請求の範囲
【補正対象項目名】全文
【補正方法】変更
【補正の内容】
【特許請求の範囲】
【請求項１】
内部に羽根車を収容したケーシングと、ケーシングの羽根車に面した正面側で羽根車の中心部に向けて開口する入口と、液体タンクの液面上に生じる泡を吸引する吸引口と、吸引口より入口を介してケーシング内に通じる吸引通路と、羽根車の遠心作用による遠心力を受けて入口より羽根車の外周側へ移行された泡が破壊されるよう衝突する羽根車外周に有したケーシングの内壁部分と、ケーシングの内壁部分への泡の衝突で泡消滅による液体を空気とともに排出する排出口と、ケーシングの背後から羽根車を回転駆動する電動機とを備え、排出口は、吸引口の半径方向外方から液体タンクの液面上に生じた泡に向けて傾斜して空気を送風するよう液体タンクの液面上に開口して配置したことを特徴とする消泡装置。
【請求項２】
前記排出口は、前記ケーシングの内壁部分への泡の衝突で泡消滅による液体を空気とともに流す排出流路の先端に開口して円環状に形成されたことを特徴とする請求項１に記載の消泡装置。
【請求項３】
前記排出口は、前記吸引口と垂直方向の位置を略同等に配置したことを特徴とする請求項２に記載の消泡装置。
【手続補正２】
【補正対象書類名】明細書
【補正対象項目名】０００６
【補正方法】変更
【補正の内容】
【０００６】
かかる課題を達成すべく、本発明は次の手段をとった。即ち、
内部に羽根車を収容したケーシングと、ケーシングの羽根車に面した正面側で羽根車の中心部に向けて開口する入口と、液体タンクの液面上に生じる泡を吸引する吸引口と、吸引口より入口を介してケーシング内に通じる吸引通路路と、羽根車の遠心作用による遠心力を受けて入口より羽根車の外周側へ移行された泡が破壊されるよう衝突する羽根車外周に有したケーシングの内壁部分と、ケーシングの内壁部分への泡の衝突で泡消滅による液体を空気とともに排出する排出口と、ケーシングの背後から羽根車を回転駆動する電動機とを備え、排出口は、吸引口の半径方向外方から液体タンクの液面上に生じた泡に向けて傾斜して空気を送風するよう液体タンクの液面上に開口して配置したことを特徴とする消泡装置がそれである。
【手続補正３】
【補正対象書類名】明細書
【補正対象項目名】０００７
【補正方法】変更
【補正の内容】
【０００７】
この場合、前記排出口は、前記ケーシングの内壁部分への泡の衝突で泡消滅による液体を空気とともに流す排出流路の先端に開口して円環状に形成してもよい。また、前記排出口は、前記吸引口と垂直方向の位置を略同等に配置してもよい。
【手続補正４】
【補正対象書類名】明細書
【補正対象項目名】０００８
【補正方法】変更
【補正の内容】
【０００８】
以上詳述したように、請求項１に記載の発明は、ケーシングの内壁部分への泡の衝突で泡消滅による液体を空気とともに排出する排出口は、吸引口の半径方向外方から液体タンクの液面上に生じた泡に向けて傾斜して空気を送風するよう液体タンクの液面上に開口して配置した。このため、排出口から送風される空気により、液面上に生じる泡を吸引口に寄せ集めることができるから、広範囲の泡を寄せ集めて効率よく消滅することができる。
【手続補正５】
【補正対象書類名】明細書
【補正対象項目名】０００９
【補正方法】変更
【補正の内容】
【０００９】
また、請求項２に記載の発明は、排出口は、ケーシングの内壁部分への泡の衝突で泡消滅による液体を空気とともに流す排出流路の先端に開口して円環状に形成した。このため、吸引口の半径方向外方で全周から空気を送風するから、液面上に生じる泡を吸引口に寄せ集めることが一層でき、泡をより効率よく消滅することができる。
【手続補正６】
【補正対象書類名】明細書
【補正対象項目名】００１０
【補正方法】変更
【補正の内容】
【００１０】
また、請求項３に記載の発明は、排出口は、吸引口と垂直方向の位置を略同等に配置した。このため、排出口を吸引口とあわせ液体タンクの液面の近傍に開口することができ、液面上に生じる泡へ向けての空気の送風と吸引口からの泡の吸引とをより一層良好にでき、泡をより一層効率よく消滅することができる。